(57)【特許請求の範囲】
【請求項１】
オペレータに対する情報を表示する表示装置であって、通常表示のための第１の輝度と、前記第１の輝度より低い第２の輝度に設定可能な表示装置と、
前記表示装置の輝度を制御するドライバと、
電源投入に応じて起動し、前記ドライバを介して前記表示装置の輝度を前記第２の輝度に設定し、オペレーティングシステムを検索してメモリ上に展開するＢＩＯＳ(Basic Input Output System)と、
前記オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するＰＯＳアプリケーションと、
を備えることを特徴とするＰＯＳ装置。
【請求項２】
前記ＰＯＳアプリケーションは、当該ＰＯＳアプリケーションの終了指示に応じて、前記ドライバを介して前記表示装置の輝度を前記第２の輝度に設定し、当該ＰＯＳアプリケーションの終了処理を行うことを特徴とする請求項１に記載のＰＯＳ装置。
【請求項３】
ＬＥＤ表示装置を更に備え、
前記第２の輝度はゼロに設定され、
前記ＢＩＯＳは前記ＬＥＤ表示装置に、前記ＰＯＳアプリケーションの起動状態を前記オペレータに通知するための表示をさせることを特徴とする請求項１又は２に記載のＰＯＳ装置。
【請求項４】
ＬＥＤ表示装置を更に備え、
前記第２の輝度はゼロに設定され、
前記ＰＯＳアプリケーションは前記ＬＥＤ表示装置に、前記ＰＯＳアプリケーションの終了状態を前記オペレータに通知するための表示をさせることを特徴とする請求項１又は２に記載のＰＯＳ装置。
【請求項５】
オペレータに対する情報を表示する表示装置であって、通常表示のための第１の輝度と、前記第１の輝度より低い第２の輝度に設定可能な表示装置と、前記表示装置の輝度を制御するドライバとを備えるＰＯＳ装置の表示制御方法であって、
前記ＰＯＳ装置の電源投入に応じて起動するＢＩＯＳ(Basic Input Output System)によって、前記ドライバを介して前記表示装置の輝度を前記第２の輝度に設定するステップと、
前記ＢＩＯＳによってオペレーティングシステムを検索してメモリ上に展開するステップと、
前記オペレーティングシステムの制御下でＰＯＳ(Point Of Sales)システムを実現するＰＯＳアプリケーションによって、該ＰＯＳアプリケーションの起動後に、前記表示装置の輝度を前記ドライバを介して前記第１の輝度に設定するステップと、
を有することを特徴とするＰＯＳ装置の表示制御方法。
【請求項６】
前記ＰＯＳアプリケーションの終了指示に応じて、当該ＰＯＳアプリケーションによって前記ドライバを介して前記表示装置の輝度を前記第２の輝度に設定するステップと、
前記ＰＯＳアプリケーションの終了処理を行うステップと、
を更に有することを特徴とする請求項５に記載の表示制御方法。
【請求項７】
該ＰＯＳ装置はＬＥＤ表示装置を更に備え、
前記第２の輝度はゼロに設定され、
前記ＢＩＯＳは前記ＬＥＤ表示装置に、前記ＰＯＳアプリケーションの起動状態を前記オペレータに通知するための表示をさせることを特徴とする請求項５又は６に記載の表示制御方法。
【請求項８】
該ＰＯＳ装置はＬＥＤ表示装置を更に備え、
前記第２の輝度はゼロに設定され、
前記ＰＯＳアプリケーションは前記ＬＥＤ表示装置に、前記ＰＯＳアプリケーションの終了状態を前記オペレータに通知するための表示をさせることを特徴とする請求項５又は６に記載の表示制御方法。
【請求項９】
オペレータに対する情報を表示する表示装置であって、通常表示のための第１の輝度と、前記第１の輝度より低い第２の輝度に設定可能な表示装置と、前記表示装置の輝度を制御するドライバと、オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するものとを備えるＰＯＳ装置において動作するＢＩＯＳ(Basic Input Output System)であって、
電源投入に応じて起動し、前記ドライバを介して前記表示装置の輝度を前記第２の輝度に設定し、オペレーティングシステムを検索してメモリ上に展開することを特徴とするＢＩＯＳ。
【請求項１０】
オペレータに対する情報を表示する表示装置であって、通常表示のための第１の輝度と、前記第１の輝度より低い第２の輝度に設定可能な表示装置と、前記表示装置の輝度を制御するドライバと、電源投入に応じて起動し、前記ドライバを介して前記表示装置の輝度を前記第２の輝度に設定し、オペレーティングシステムを検索してメモリ上に展開するＢＩＯＳ(Basic Input Output System)とを備えるＰＯＳ装置において、前記オペレーティングシステムの制御下でＰＯＳ(Point Of Sales)システムを実現するＰＯＳアプリケーションであって、
当該ＰＯＳアプリケーションの起動後に、前記表示装置の輝度を前記ドライバを介して前記第１の輝度に設定することを特徴とするＰＯＳアプリケーション。
【発明の詳細な説明】
【技術分野】
【０００１】
本発明はＰＯＳ装置、その表示制御方法、ＢＩＯＳ及びＰＯＳアプリケーションに関する。
【背景技術】
【０００２】
店舗における商品の販売情報を記録、及び集計して管理するＰＯＳ（Point Of Sales）システムは、スーパーマーケットやコンビニエンスストア等の小売店で広く用いられるようになっている。ＰＯＳシステムを利用する店舗では、ＬＣＤ表示装置を一体に備えたＰＯＳ端末装置（例えば特許文献１）が設置されることが多い。
【０００３】
従来のＬＣＤ一体型ＰＯＳ装置は、Windows（登録商標）やＬｉｎｕｘ（登録商標）などの一般ＰＣ向けオペレーティングシステム（ＯＳ）を使用することが多い。これらのＯＳは、起動時及び終了時に、数十秒から１分以上の時間を必要とする。従来のＰＯＳ装置では、起動処理中及び終了処理中にＬＣＤモニタの輝度を通常レベルに設定して、ＯＳのロゴを表示したり、処理経過ステータスを表示したりするが、これらの情報はＰＯＳオペレータにとって必ずしも必要ではない。
【０００４】
オペレータ（操作者）にとっては必要ではない情報を表示装置上に表示することは、消費電力の増大につながり、ＰＯＳ装置の運用に要するビジネス運営コストを増大させる。このため、表示装置の消費電力を低減する技術が必要とされる。
【０００５】
バックライトが設けられたＬＣＤを有する電子機器における省電力技術の一例として、例えば特許文献２には、アプリケーションの実行中に入力操作が不要な処理待ち状態となった場合に、バックライトの輝度を変更する技術が記載されている。
【先行技術文献】
【特許文献】
【０００６】
【特許文献１】特開２００５−２０２８７５号公報
【特許文献２】特開平１１−１２６１１８号公報
【発明の概要】
【発明が解決しようとする課題】
【０００７】
特許文献２に記載の節電機構は、ＯＳの一機能として設けられている。このため、例えば従来のＰＯＳ装置において、特許文献２に記載の節電機構を適用したとしても、ＰＯＳ装置のＯＳ起動時等に不要な情報が表示されることによる表示装置の消費電力を削減することはできない。
【０００８】
そこで本発明は、装置起動時等の表示に係る消費電力を低減することができるＰＯＳ装置、その表示制御方法、ＢＩＯＳ及びＰＯＳアプリケーションを提供することを目的とする。
【課題を解決するための手段】
【０００９】
本発明の第１の観点によれば、オペレータに対する情報を表示する表示装置であって、通常表示のための第１の輝度と、前記第１の輝度より低い第２の輝度に設定可能な表示装置と、前記表示装置の輝度を制御するドライバと、電源投入に応じて起動し、前記ドライバを介して前記表示装置の輝度を前記第２の輝度に設定し、オペレーティングシステムを検索してメモリ上に展開するＢＩＯＳ(Basic Input Output System)と、前記オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するＰＯＳアプリケーションと、を備えることを特徴とするＰＯＳ装置が提供される。
【００１０】
本発明の第２の観点によれば、オペレータに対する情報を表示する表示装置であって、通常表示のための第１の輝度と、前記第１の輝度より低い第２の輝度に設定可能な表示装置と、前記表示装置の輝度を制御するドライバとを備えるＰＯＳ装置の表示制御方法であって、前記ＰＯＳ装置の電源投入に応じて起動するＢＩＯＳ(Basic Input Output System)によって、前記ドライバを介して前記表示装置の輝度を前記第２の輝度に設定するステップと、前記ＢＩＯＳによってオペレーティングシステムを検索してメモリ上に展開するステップと、前記オペレーティングシステムの制御下でＰＯＳ(Point Of Sales)システムを実現するＰＯＳアプリケーションによって、該ＰＯＳアプリケーションの起動後に、前記表示装置の輝度を前記ドライバを介して前記第１の輝度に設定するステップと、を有することを特徴とするＰＯＳ装置の表示制御方法が提供される。
【００１１】
本発明の第３の観点によれば、オペレータに対する情報を表示する表示装置であって、通常表示のための第１の輝度と、前記第１の輝度より低い第２の輝度に設定可能な表示装置と、前記表示装置の輝度を制御するドライバと、オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するものとを備えるＰＯＳ装置において動作するＢＩＯＳ(Basic Input Output System)であって、電源投入に応じて起動し、前記ドライバを介して前記表示装置の輝度を前記第２の輝度に設定し、オペレーティングシステムを検索してメモリ上に展開することを特徴とするＢＩＯＳが提供される。
【００１２】
本発明の第４の観点によれば、オペレータに対する情報を表示する表示装置であって、通常表示のための第１の輝度と、前記第１の輝度より低い第２の輝度に設定可能な表示装置と、前記表示装置の輝度を制御するドライバと、電源投入に応じて起動し、前記ドライバを介して前記表示装置の輝度を前記第２の輝度に設定し、オペレーティングシステムを検索してメモリ上に展開するＢＩＯＳ(Basic Input Output System)とを備えるＰＯＳ装置において、前記オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定することを特徴とするＰＯＳアプリケーションが提供される。
【発明の効果】
【００１３】
本発明によれば、表示装置の輝度として、通常表示のための第１の輝度と、前記第１の輝度より低い第２の輝度が設定可能であり、電源投入に応じて起動するＢＩＯＳによって、当該表示装置の輝度を第２の輝度に設定し、ＰＯＳシステムを実現するＰＯＳアプリケーションの起動後に、表示装置の輝度をドライバを介して第１の輝度に設定するため、装置起動時等の表示に係る消費電力を低減することができる。
【図面の簡単な説明】
【００１４】
【図１】本発明の第１の実施形態に係るＰＯＳ装置の概略構成を示すブロック図である。
【図２】本発明の第１の実施形態に係るＰＯＳ装置の起動時に行われる処理手順を示すフローチャートである。
【図３】本発明の第１の実施形態に係るＰＯＳ装置におけるＰＯＳ業務終了時に行われる処理手順を示すフローチャートである。
【図４】本発明の第２の実施形態に係るＰＯＳ装置の概略構成を示すブロック図である。
【図５】本発明の第２の実施形態に係るＰＯＳ装置の起動時に行われる処理手順を示すフローチャートである。
【図６】本発明の第２の実施形態に係るＰＯＳ装置におけるＰＯＳ業務終了時に行われる処理手順を示すフローチャートである。
【発明を実施するための形態】
【００１５】
以下では、本発明の実施の形態について、図面を参照して説明する。
【００１６】
（第１の実施形態）
図１は、本発明の第１の実施形態に係るＰＯＳ（Point Of Sales）装置の概略構成を示すブロック図である。
【００１７】
図１に示すＰＯＳ装置は、ＣＰＵ１１、バススイッチ１２、ＲＯＭ１３、ＲＡＭ１４、ハードディスク装置１５、及びＬＣＤモニタ１６を含む。
【００１８】
ＲＯＭ１３及びＲＡＭ１４は、メモリバス１７を介してバススイッチ１２に接続されており、ハードディスク装置１５及びＬＣＤモニタ１６はＩ／Ｏ（input/output）バス１８を介してバススイッチ１２に接続されている。
【００１９】
バススイッチ１２はＣＰＵ１１に接続されており、ＣＰＵ１１に電気的に接続されるバスを、メモリバス１７とＩ／Ｏバス１８との間で切り換える。
【００２０】
ＣＰＵ１１はＲＯＭ１３及びＲＡＭ１４と協働し、ＰＯＳ装置全体の動作を制御する制御部として機能する。ＣＰＵ１１は、ＲＯＭ１３に記憶された所定のプログラム（ＢＩＯＳ１３ａ等）を読み出してＲＡＭ１４内に展開し、当該プログラムに従ってＰＯＳ装置各部の動作を制御する。
【００２１】
ＲＯＭ１３には、ＢＩＯＳ（Basic Input Output System）１３ａ等、ＰＯＳ装置の動作に必要とされるプログラムや、各種の制御データが格納されている。ＢＩＯＳ１３ａは、ＰＯＳ装置の電源投入時に動作し、ハードディスク装置１５に格納されているオペレーティングシステム（ＯＳ）１５ａをＲＡＭ１４に展開し、オペレーティングシステム１５ａをスタートさせる。
【００２２】
本実施形態に係るＢＩＯＳ１３ａは、オペレーティングシステム１５ａをＲＡＭ１４に展開する前に、ＰＯＳ装置のＬＣＤモニタ１６の輝度を低く設定する処理を行う。
【００２３】
ハードディスク装置１５には、オペレーティングシステム１５ａ、ハードウェア（ＨＷ）ドライバ１５ｂ、ＰＯＳアプリケーション１５ｃが搭載されている。ＢＩＯＳ１３ａによってオペレーティングシステム１５ａ、ＨＷドライバ１５ｂ、及びＰＯＳアプリケーション１５ｃがＲＡＭ１４に展開され、オペレーティングシステム１５ａの起動処理が完了したら、ＰＯＳアプリケーション１５ｃが自動的に起動する。
【００２４】
オペレーティングシステム１５ａは、例えばWindowsやＬｉｎｕｘ等の通常のコンピュータ用のＯＳであってもよい。ＨＷドライバ１５ｂは、ＬＣＤモニタ１６等のＰＯＳ装置の周辺機器ハードウェアを動作させるためのソフトウェアを含んでいる。本実施形態に係るハードディスク装置１５では、ＨＷドライバ１５ｂの一種であり、モニタ１６の輝度を設定するためのモニタドライバを、ＰＯＳアプリケーション１５ｃが含んでいるか、あるいはＰＯＳアプリケーション１５ｃがモニタドライバを制御可能であるものとする。
【００２５】
ＰＯＳアプリケーション１５ｃは、店舗等において商品の販売情報の管理に用いられる通常のＰＯＳシステムを実現するためのアプリケーションである。
【００２６】
ＨＷドライバ１５ｂ及びＰＯＳアプリケーション１５ｃは、ＯＳ１５ａの一部として当該ＯＳ１５ａに組み込まれていてもよく、あるいはＯＳ１５ａと共にハードディスク装置１５に格納されていてもよい。
【００２７】
ＬＣＤモニタ１６は、ＰＯＳ装置のオペレータ（操作者）の操作に必要な種々の情報、及びオペレータに対するメッセージ等が表示される表示装置である。ＬＣＤモニタ１６の輝度は、上述のモニタドライバによって制御される。
【００２８】
続いて、上述の構成によるＰＯＳ装置の動作について説明する。
【００２９】
本発明の第１の実施形態に係るＰＯＳ装置は、ＬＣＤモニタ１６と制御部が一体化されたＰＯＳ装置であり、装置起動時及び終了時にＬＣＤモニタ１６の輝度を減らして消費電力を低減させている。
【００３０】
図２は、本発明の第１の実施形態に係るＰＯＳ装置の起動時に行われる処理手順を示すフローチャートである。
【００３１】
ＰＯＳ装置の電源が投入されると、ＢＩＯＳ１３ａが起動する（ステップＳ２１）。すなわち、電源の投入に応じてＣＰＵ１１が特定のメモリアドレスにある命令を読み取り、当該命令を実行する。この命令の実行により、ＣＰＵ１１が次に読み取る命令アドレスが、ＲＯＭ１３上のＢＩＯＳ１３ａの開始アドレスに設定される。この時点でＲＯＭ１３上のＢＩＯＳ１３ａの実行が開始される。
【００３２】
続いて、ＢＩＯＳ１３ａがＰＯＳ装置のハードウェア構成部品に対して診断や初期化処理を行う（ステップＳ２２）。この際、ＢＩＯＳ１３ａは、ＬＣＤモニタ１６の輝度を通常表示用の輝度よりも低く設定する。
【００３３】
ＢＩＯＳ１３ａは、ブートデバイス（本実施形態では、ハードディスク装置１５）からオペレーティングシステム（ＯＳ）１５ａを検索する（ステップＳ２３）。
【００３４】
ＢＩＯＳ１３ａは、検索したＯＳ１５ａをメモリシステム（本実施形態では、ＲＡＭ１４）へロードする（ステップＳ２４）。このとき、ＯＳ１５ａの一部となっている、あるいはＯＳ１５ａ共にハードウェア装置１５に格納されているＨＷドライバ１５ｂ、及びＰＯＳアプリケーション１５ｃもＲＡＭ１４へロードされる。
【００３５】
ＯＳ１５ａのロードが完了すると、当該ＯＳ１５ａが起動する（ステップＳ２５）。
【００３６】
ＯＳ１５ａの起動が完了したら、ＰＯＳアプリケーション１５ｃが自動的に起動する（ステップＳ２６）。
【００３７】
ＰＯＳアプリケーション１５ｃは、起動に際してモニタドライバを経由してＬＣＤモニタの１６の輝度を通常表示用の輝度まで増やし、ＰＯＳ装置のオペレータがＬＣＤモニタ１６の表示を視認できるようにする（ステップＳ２７）。
【００３８】
また図３は、本発明の第１の実施形態に係るＰＯＳ装置におけるＰＯＳ業務終了時に行われる処理手順を示すフローチャートである。
【００３９】
ＰＯＳ装置のオペレータが、所定の終了指示をＰＯＳ装置に入力すると、ＰＯＳアプリケーション１５ｃの終了処理が行われる（ステップＳ３１）。
【００４０】
終了処理においてＰＯＳアプリケーション１５ｃは、モニタドライバを経由してＬＣＤモニタ１６の輝度を減少させる（ステップＳ３２）。
【００４１】
そしてＰＯＳアプリケーション１５ｃは、オペレーティングシステム１５ｃに対しシャットダウン処理を要求して自己の処理を終了し、オペレーティングシステム１５ｃが終了（シャットダウン）すると、ＢＩＯＳ１３ａの終了処理がコールバックされる（ステップＳ３３）。
【００４２】
終了処理がコールバックされると、ＢＩＯＳ１３ａがＰＯＳ装置の電源を切断する（ステップＳ３４）。
【００４３】
以上のように、本実施形態に係るＰＯＳ装置では、装置起動時にＢＩＯＳ１３ａがＬＣＤモニタ１６の輝度を低く設定し、ＰＯＳアプリケーション１５ｃの起動完了時に、当該ＰＯＳアプリケーション１５ｃがモニタドライバを経由してモニタの輝度を通常レベルまで上げる。
【００４４】
また、業務終了時にＰＯＳオペレータがＰＯＳアプリケーション１５ｃを終了させると、当該ＰＯＳアプリケーション１５ｃがモニタドライバを経由してＬＣＤモニタ１６の輝度を減らしてから、オペレーティングシステムをシャットダウンする。
【００４５】
このため、本実施形態に係るＰＯＳ装置では、装置の起動時及び終了時にＬＣＤモニタ１６の輝度を減じ、ＬＣＤモニタ１６において消費される電力量を抑えることができる。
【００４６】
オペレーティングシステム１５ａの装置起動処理中、又は終了処理中にＬＣＤモニタ１６上に表示される情報は、ＰＯＳ装置のオペレータにとって必要がないことが多い。従って上述の実施形態のように、ＰＯＳ装置起動時及び終了時にＬＣＤモニタ１６の輝度を減じても、オペレータの操作性が大きく損なわれることは無い。
【００４７】
通常、ＰＯＳ装置がＰＯＳオペレータに通知する情報としては、例えばＰＯＳアプリケーションが起動処理中であるか否か、終了処理中であるか否かのみで良い。このため、上述のステップＳ２２及びステップＳ３２では、ＰＯＳオペレータがＰＯＳ装置の動作状況（起動処理中か否か、終了処理中か否か）を確認できる程度の鮮明さまでモニタの輝度を減らすことができる。
【００４８】
本実施形態では、ＬＣＤモニタ１６の輝度として、通常表示用の輝度と、装置起動時及び終了時に設定される低い輝度との２つのレベルの輝度が設定されるが、これらの輝度は、オペレータの操作に応じて、予め設定可能であってもよい。また、オペレータ毎に変更可能であってもよい。
【００４９】
続いて、本発明の他の実施形態について説明する。以下の実施形態において、上述の実施形態と共通する部分には共通する符号を付し、その詳細な説明は省略する。
【００５０】
（第２の実施形態）
第２の実施形態においては、装置の起動時及び終了時にＬＣＤモニタ１６の輝度を完全にゼロにして、ＰＯＳ動作状況（起動処理中か否か、終了処理中か否かの情報）をＬＥＤライトやＬＥＤラインディスプレイで通知する。
【００５１】
図４は、本発明の第２の実施形態に係るＰＯＳ装置の概略構成を示すブロック図である。
【００５２】
本実施形態に係るＰＯＳ装置の基本的な構成は、図１に示す構成と同様である。ただし、本実施形態では、ＬＥＤディスプレイ１９が、Ｉ／ＯデバイスとしてＩ／Ｏバス１８に接続されている。
【００５３】
ＬＥＤディスプレイ１９は、例えばＬＥＤライトやＬＥＤラインディスプレイであってもよい。
【００５４】
説明の簡単化のために図１ではＬＥＤディスプレイ１９は図示されていないが、通常のＰＯＳ装置では、値段等を表示するためのＬＥＤラインディスプレイ、及び装置稼働状態（例えば電源状態やエラー情報等）通知用のＬＥＤライトが予め組み込まれていることが多い。従って通常のＰＯＳ装置では、本実施形態のためにＬＥＤディスプレイを特別に用意する必要がない。
【００５５】
なお、ＬＥＤディスプレイ１９の点灯及び消灯は、ＢＩＯＳ１３ａ、及びＰＯＳアプリケーション１５ｃからＬＥＤドライバを介して制御可能であるものとする。
【００５６】
続いて、上述の構成によるＰＯＳ装置の動作について説明する。
【００５７】
図５は、本発明の第２の実施形態に係るＰＯＳ装置の起動時に行われる処理手順を示すフローチャートである。
【００５８】
ＰＯＳ装置の電源が投入されると、ＢＩＯＳ１３ａが起動する（ステップＳ５１）。すなわち、電源の投入に応じてＣＰＵ１１が特定のメモリアドレスにある命令を読み取り、当該命令を実行する。この命令の実行により、ＣＰＵ１１が次に読み取る命令アドレスが、ＲＯＭ１３上のＢＩＯＳ１３ａの開始アドレスに設定される。この時点でＲＯＭ１３上のＢＩＯＳ１３ａの実行が開始される。
【００５９】
続いて、ＢＩＯＳ１３ａがＰＯＳ装置のハードウェア構成部品に対して診断や初期化処理を行う（ステップＳ５２）。この際、ＢＩＯＳ１３ａは、ＬＣＤモニタ１６の輝度をゼロに設定し、ＬＥＤディスプレイ１９にＰＯＳ装置が起動処理中であることをメッセージ表示させる。
【００６０】
ＢＩＯＳ１３ａは、ブートデバイス（本実施形態では、ハードディスク装置１５）からオペレーティングシステム（ＯＳ）１５ａを検索する（ステップＳ５３）。
【００６１】
ＢＩＯＳ１３ａは、検索したＯＳ１５ａをメモリシステム（本実施形態では、ＲＡＭ１４）へロードする（ステップＳ５４）。このとき、ＯＳ１５ａの一部となっている、あるいはＯＳ１５ａ共にハードウェア装置１５に格納されているＨＷドライバ１５ｂ、及びＰＯＳアプリケーション１５ｃもＲＡＭ１４へロードされる。
【００６２】
ＯＳ１５ａのロードが完了すると、当該ＯＳ１５ａが起動する（ステップＳ２５）。
【００６３】
ＯＳ１５ａの起動が完了したら、ＰＯＳアプリケーション１５ｃが自動的に起動する（ステップＳ５６）。
【００６４】
ＰＯＳアプリケーション１５ｃは、起動に際してモニタドライバを経由してＬＣＤモニタの１６の輝度を通常表示用の輝度まで増やし、ＰＯＳ装置のオペレータがＬＣＤモニタ１６の表示を視認できるようにする（ステップＳ５７）。
【００６５】
また図６は、本発明の第２の実施形態に係るＰＯＳ装置におけるＰＯＳ業務終了時に行われる処理手順を示すフローチャートである。
【００６６】
ＰＯＳ装置のオペレータが、所定の終了指示をＰＯＳ装置に入力すると、ＰＯＳアプリケーション１５ｃの終了処理が行われる（ステップＳ６１）。
【００６７】
終了処理においてＰＯＳアプリケーション１５ｃは、モニタドライバを経由してＬＣＤモニタ１６の輝度をゼロに設定し、ＬＥＤディスプレイ１９にＰＯＳ装置が終了処理中であることをメッセージ表示させる（ステップＳ６２）。
【００６８】
そしてＰＯＳアプリケーション１５ｃは、オペレーティングシステム１５ｃに対しシャットダウン処理を要求して自己の処理を終了し、オペレーティングシステム１５ｃが終了（シャットダウン）すると、ＢＩＯＳ１３ａの終了処理がコールバックされる（ステップＳ６３）。
【００６９】
終了処理がコールバックされると、ＢＩＯＳ１３ａがＰＯＳ装置の電源を切断する（ステップＳ６４）。
【００７０】
以上のように、本実施形態に係るＰＯＳ装置では、装置起動時にＢＩＯＳ１３ａがＬＣＤモニタ１６の輝度を無くし、ＰＯＳ装置が起動処理中であることをＬＥＤディスプレイ１９にメッセージで表示させる。
【００７１】
また、業務終了時にオペレータがＰＯＳアプリケーション１５ｃを終了させると、当該ＰＯＳアプリケーション１５ｃがモニタドライバを経由してＬＣＤモニタ１６の輝度を無くし、ＬＥＤディスプレイ１９にＰＯＳ装置が終了処理中であることをメッセージで表示させる。
【００７２】
本実施形態に係るＰＯＳ装置では、装置の起動時及び終了時のＬＣＤモニタ１６の輝度を無くすため、ＬＣＤモニタ１６において消費される電力量を更に抑えることができる。
【００７３】
通常のＰＯＳ装置では、オペレータに通知する情報としては、例えばＰＯＳアプリケーションが起動処理中であるか否か、終了処理中であるか否かのみで良い。このため、上述のステップＳ５２及びステップＳ６２において、ＬＥＤ表示でオペレータにＰＯＳ装置の動作状況（起動処理中か否か、終了処理中か否か）が通知できれば、オペレータの操作性を大きく損なうことは無い。
【００７４】
また、上述のステップＳ５２及びステップＳ６２では、ＰＯＳアプリケーションの動作状況をメッセージ表示するとしたが、オペレータが動作状況を確認できるのであれば、ＬＥＤライトの点灯状態（点滅、輝度の変化等）によって、動作状況を知らせてもよい。
【００７５】
また、ＰＯＳ装置が音声出力部を備えている場合、上述のステップＳ５２及びステップＳ６２では、ＬＥＤ表示に代えて音声出力によって、ＰＯＳアプリケーションの動作状況が通知されてもよい。このように、ＬＣＤモニタ１６の輝度をゼロに落としても、種々の方法でオペレータに動作状況を通知することが可能である。
【００７６】
以上説明したように、本発明の各実施形態によれば、オペレーティングシステム起動時および終了時に消費電力の高い部品であるモニタの輝度を低減することで、モニタの消費電力を削減することができる。このため、ＰＯＳ運用にかかる年間の総合消費電力の低減ができる。
【００７７】
なお、上述の各実施形態では、ＬＣＤモニタ１９と制御部とが一体に構成されたＰＯＳ装置について説明した。しかしながら、モニタドライバを介してＬＣＤモニタ１９の輝度の制御が可能であれば、ＬＣＤモニタ１９は必ずしも制御部と一体に構成されなくともよい。
【００７８】
また、上述の各実施形態では、表示装置としてＬＣＤモニタ採用したＰＯＳ装置について説明した。しかしながら、ＰＯＳ装置に用いられる表示装置は、ＬＣＤモニタに限定されるものではない。ＬＣＤ方式に限らず、他の表示装置を用いるＰＯＳ装置であっても本発明の各実施形態を適用することが可能である。
【００７９】
以上のように、本発明の各実施形態に係るＰＯＳ装置によれば、装置の起動処理時および終了処理時にＬＣＤモニタの輝度を減らして鮮明に表示しないで、消費電力を減らすことができる。このため、小売業の店舗等で扱われるＰＯＳ装置の運用にかかる消費電力を削減し、小売業のビジネスコストを抑制することができる。
【００８０】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００８１】
上記の実施形態の一部又は全部は、以下の付記のようにも記載されうるが、以下には限られない。
【００８２】
（付記１）
オペレータに対する情報を表示する表示装置であって、通常表示のための第１の輝度と、前記第１の輝度より低い第２の輝度に設定可能な表示装置と、
前記表示装置の輝度を制御するドライバと、
電源投入に応じて起動し、前記ドライバを介して前記表示装置の輝度を前記第２の輝度に設定し、オペレーティングシステムを検索してメモリ上に展開するＢＩＯＳ(Basic Input Output System)と、
前記オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するＰＯＳアプリケーションと、
を備えることを特徴とするＰＯＳ装置。
【００８３】
（付記２）
前記ＰＯＳアプリケーションは、当該ＰＯＳアプリケーションの終了指示に応じて、前記ドライバを介して前記表示装置の輝度を前記第２の輝度に設定し、当該ＰＯＳアプリケーションの終了処理を行うことを特徴とする付記１に記載のＰＯＳ装置。
【００８４】
（付記３）
ＬＥＤ表示装置を更に備え、
前記第２の輝度はゼロに設定され、
前記ＢＩＯＳは前記ＬＥＤ表示装置に、前記ＰＯＳアプリケーションの起動状態を前記オペレータに通知するための表示をさせることを特徴とする付記１又は２に記載のＰＯＳ装置。
【００８５】
（付記４）
ＬＥＤ表示装置を更に備え、
前記第２の輝度はゼロに設定され、
前記ＰＯＳアプリケーションは前記ＬＥＤ表示装置に、前記ＰＯＳアプリケーションの終了状態を前記オペレータに通知するための表示をさせることを特徴とする付記１又は２に記載のＰＯＳ装置。
【００８６】
（付記５）
前記ＰＯＳアプリケーションは、前記終了指示に応じて前記オペレーティングシステムのシャットダウンを要求し、
前記ＢＩＯＳは、前記オペレーティングシステムが終了したら、前記ＰＯＳ装置の電源を切断することを特徴とする付記２乃至４の何れかに記載のＰＯＳ装置。
【００８７】
（付記６）
前記表示装置は、ＬＣＤ表示装置であることを特徴とする付記１乃至５の何れかに記載のＰＯＳ装置。
【００８８】
（付記７）
オペレータに対する情報を表示する表示装置であって、通常表示のための第１の輝度と、前記第１の輝度より低い第２の輝度に設定可能な表示装置と、前記表示装置の輝度を制御するドライバとを備えるＰＯＳ装置の表示制御方法であって、
前記ＰＯＳ装置の電源投入に応じて起動するＢＩＯＳ(Basic Input Output System)によって、前記ドライバを介して前記表示装置の輝度を前記第２の輝度に設定するステップと、
前記ＢＩＯＳによってオペレーティングシステムを検索してメモリ上に展開するステップと、
前記オペレーティングシステムの制御下でＰＯＳ(Point Of Sales)システムを実現するＰＯＳアプリケーションによって、該ＰＯＳアプリケーションの起動後に、前記表示装置の輝度を前記ドライバを介して前記第１の輝度に設定するステップと、
を有することを特徴とするＰＯＳ装置の表示制御方法。
【００８９】
（付記８）
前記ＰＯＳアプリケーションの終了指示に応じて、当該ＰＯＳアプリケーションによって前記ドライバを介して前記表示装置の輝度を前記第２の輝度に設定するステップと、
前記ＰＯＳアプリケーションの終了処理を行うステップと、
を更に有することを特徴とする付記７に記載の表示制御方法。
【００９０】
（付記９）
該ＰＯＳ装置はＬＥＤ表示装置を更に備え、
前記第２の輝度はゼロに設定され、
前記ＢＩＯＳは前記ＬＥＤ表示装置に、前記ＰＯＳアプリケーションの起動状態を前記オペレータに通知するための表示をさせることを特徴とする付記７又は８に記載の表示制御方法。
【００９１】
（付記１０）
該ＰＯＳ装置はＬＥＤ表示装置を更に備え、
前記第２の輝度はゼロに設定され、
前記ＰＯＳアプリケーションは前記ＬＥＤ表示装置に、前記ＰＯＳアプリケーションの終了状態を前記オペレータに通知するための表示をさせることを特徴とする付記７又は８に記載の表示制御方法。
【００９２】
（付記１１）
前記ＰＯＳアプリケーションは、前記終了指示に応じて前記オペレーティングシステムのシャットダウンを要求し、
前記ＢＩＯＳは、前記オペレーティングシステムが終了したら、該ＰＯＳ装置の電源を切断することを特徴とする付記８乃至１０の何れかに記載の表示制御方法。
【００９３】
（付記１２）
前記表示装置は、ＬＣＤ表示装置であることを特徴とする付記７乃至１１の何れかに記載の表示制御方法。
【００９４】
（付記１３）
オペレータに対する情報を表示する表示装置であって、通常表示のための第１の輝度と、前記第１の輝度より低い第２の輝度に設定可能な表示装置と、前記表示装置の輝度を制御するドライバと、オペレーティングシステムの制御下でＰＯＳ(Point Of Sales)システムを実現するＰＯＳアプリケーションであって、当該ＰＯＳアプリケーションの起動後に、前記表示装置の輝度を前記ドライバを介して前記第１の輝度に設定するものとを備えるＰＯＳ装置において動作するＢＩＯＳ(Basic Input Output System)であって、
電源投入に応じて起動し、前記ドライバを介して前記表示装置の輝度を前記第２の輝度に設定し、オペレーティングシステムを検索してメモリ上に展開することを特徴とするＢＩＯＳ。
【００９５】
（付記１４）
前記ＰＯＳアプリケーションは、当該ＰＯＳアプリケーションの終了指示に応じて、前記ドライバを介して前記表示装置の輝度を前記第２の輝度に設定し、当該ＰＯＳアプリケーションの終了処理を行うことを特徴とする付記１３に記載のＢＩＯＳ。
【００９６】
（付記１５）
該ＰＯＳ装置はＬＥＤ表示装置を更に備え、
前記第２の輝度はゼロに設定され、
該ＢＩＯＳは前記ＬＥＤ表示装置に、前記ＰＯＳアプリケーションの起動状態を前記オペレータに通知するための表示をさせることを特徴とする付記１３又は１４に記載のＢＩＯＳ。
【００９７】
（付記１６）
該ＰＯＳ装置はＬＥＤ表示装置を更に備え、
前記第２の輝度はゼロに設定され、
前記ＰＯＳアプリケーションは前記ＬＥＤ表示装置に、前記ＰＯＳアプリケーションの終了状態を前記オペレータに通知するための表示をさせることを特徴とする付記１３又は１４に記載のＢＩＯＳ。
【００９８】
（付記１７）
前記ＰＯＳアプリケーションは、前記終了指示に応じて前記オペレーティングシステムのシャットダウンを要求し、
該ＢＩＯＳは、前記オペレーティングシステムが終了したら、前記ＰＯＳ装置の電源を切断することを特徴とする付記１４乃至１６の何れかに記載のＢＩＯＳ。
【００９９】
（付記１８）
前記表示装置は、ＬＣＤ表示装置であることを特徴とする付記１３乃至１７の何れかに記載のＢＩＯＳ。
【０１００】
（付記１９）
オペレータに対する情報を表示する表示装置であって、通常表示のための第１の輝度と、前記第１の輝度より低い第２の輝度に設定可能な表示装置と、前記表示装置の輝度を制御するドライバと、電源投入に応じて起動し、前記ドライバを介して前記表示装置の輝度を前記第２の輝度に設定し、オペレーティングシステムを検索してメモリ上に展開するＢＩＯＳ(Basic Input Output System)とを備えるＰＯＳ装置において、前記オペレーティングシステムの制御下でＰＯＳ(Point Of Sales)システムを実現するＰＯＳアプリケーションであって、
当該ＰＯＳアプリケーションの起動後に、前記表示装置の輝度を前記ドライバを介して前記第１の輝度に設定することを特徴とするＰＯＳアプリケーション。
【０１０１】
（付記２０）
当該ＰＯＳアプリケーションの終了指示に応じて、前記ドライバを介して前記表示装置の輝度を前記第２の輝度に設定し、当該ＰＯＳアプリケーションの終了処理を行うことを特徴とする付記１９に記載のＰＯＳアプリケーション。
【０１０２】
（付記２１）
該ＰＯＳ装置はＬＥＤ表示装置を更に備え、
前記第２の輝度はゼロに設定され、
前記ＢＩＯＳは前記ＬＥＤ表示装置に、該ＰＯＳアプリケーションの起動状態を前記オペレータに通知するための表示をさせることを特徴とする付記１９又は２０に記載のＰＯＳアプリケーション。
【０１０３】
（付記２２）
該ＰＯＳ装置はＬＥＤ表示装置を更に備え、
前記第２の輝度はゼロに設定され、
該ＰＯＳアプリケーションは前記ＬＥＤ表示装置に、前記ＰＯＳアプリケーションの終了状態を前記オペレータに通知するための表示をさせることを特徴とする付記１９又は２０に記載のＰＯＳアプリケーション。
【０１０４】
（付記２３）
該ＰＯＳアプリケーションは、前記終了指示に応じて前記オペレーティングシステムのシャットダウンを要求し、
前記ＢＩＯＳは、前記オペレーティングシステムが終了したら、前記ＰＯＳ装置の電源を切断することを特徴とする付記２０乃至２２の何れかに記載のＰＯＳアプリケーション。
【０１０５】
（付記２４）
前記表示装置は、ＬＣＤ表示装置であることを特徴とする付記１９乃至２３の何れかに記載のＰＯＳアプリケーション。
【符号の説明】
【０１０６】
１１  ＣＰＵ
１２  バススイッチ
１３  ＲＯＭ
１３ａ  ＢＩＯＳ
１４  ＲＡＭ
１５  ハードディスク装置
１５ａ  オペレーティングシステム
１５ｂ  ハードウェアドライバ
１５ｃ  ＰＯＳアプリケーション
１６  ＬＣＤモニタ
１７  メモリバス
１８  Ｉ／Ｏバス
１９  ＬＥＤディスプレイ
【図１】
0005258066.tif 000002
【図２】
0005258066.tif 000003
【図３】
0005258066.tif 000004
【図４】
0005258066.tif 000005
【図５】
0005258066.tif 000006
【図６】
0005258066.tif 000007